(57)【要約】【課題】着脱可能な記録媒体をコピー元とするコンテンツのコピーの回数に制限をかけることが可能な複製システムを実現する。【解決手段】光学ドライブシステム１０００は、レコーダ装置１００のバックエンド制御部２４０がコンテンツのコピー可能回数とコンテンツＩＤとを関連づけて記憶部２８０に記録し、ドライブ制御部３２０がコンテンツＩＤとコンテンツとを関連づけて光ディスクに記録する。ダビング装置５００の制御部５１０は、コンテンツＩＤと関連づけられたコンテンツを光ディスクからハードディスク部５３０へコピーする旨の指示を受けると、レコーダ装置１００にコンテンツＩＤを送信する。バックエンド制御部２４０は受信したコンテンツＩＤが示すコンテンツのコピー可能回数に基づき判定したコピーの可否をダビング装置５００に通知する。制御部５１０は、判定結果が可である場合にコピーを行う。【選択図】図２
2010238335.tif 000002
【特許請求の範囲】
【請求項１】
コンテンツを表わすコンテンツデータを着脱可能な記録媒体に記録可能な記録装置において、
上記コンテンツデータのコピー可能回数と上記コンテンツデータを識別する識別値とを関連づけて自機の記憶部に記録するとともに、上記識別値と上記コンテンツデータとを関連づけて着脱可能な記録媒体に記録するコピー管理情報記録手段と、
着脱可能な記録媒体をコピー元として上記コンテンツデータをコピー可能な複製装置から上記識別値を受信したときに、上記識別値と関連付けて記録されているコピー可能回数に基づいて上記コンテンツデータのコピーの可否を判定し、判定結果を上記複製装置に通知するとともに、上記判定結果が可である場合に上記コピー可能回数を減らすコピー管理情報更新手段と、を備えていることを特徴とする記録装置。
【請求項２】
上記コピー管理情報記録手段は、上記識別値と上記コンテンツデータとを関連づけて着脱可能な記録媒体に記録するとともに、自機の記憶部に上記識別値と関連づけて上記コンテンツデータを記録することを特徴とする請求項１に記載の記録装置。
【請求項３】
上記コンテンツデータを自機の記憶部に記録する旨の指示をユーザーから受け付ける指示受付手段をさらに備え、
上記コピー管理情報記録手段は、当該指示を受け付けた場合に限り、上記記憶部に上記識別値と関連づけて上記コンテンツデータを記録することを特徴とする請求項２に記載の記録装置。
【請求項４】
上記コピー管理情報更新手段は、上記識別値とともに上記複製装置において上記コピーを実行可能な回数であるコピー実行回数を受信した場合であり、かつ、上記判定結果が可である場合に、上記コピー可能回数から上記コピー実行回数を減らすことを特徴とする請求項１から３のいずれか１項に記載の記録装置。
【請求項５】
データを着脱可能な記録媒体に記録可能な記録装置において、
着脱可能な記録媒体をコピー元とするコピー可能回数と自機に格納されている着脱可能な記録媒体を識別する識別値とを関連づけて自機の記憶部に記録するコピー管理情報記録手段と、
着脱可能な記録媒体をコピー元として上記データをコピー可能な複製装置から上記識別値を受信したときに、上記識別値と関連付けて記録されているコピー可能回数に基づいて上記コピーの可否を判定し、判定結果を上記複製装置に通知するとともに、上記判定結果が可である場合に上記コピー可能回数を減らすコピー管理情報更新手段と、を備えていることを特徴とする記録装置。
【請求項６】
コンテンツを表わすコンテンツデータを着脱可能な記録媒体から記憶部にコピー可能な複製装置において、
上記コンテンツデータを上記着脱可能な記録媒体から上記記憶部にコピーする旨の指示を受け付けたときに、上記コンテンツデータに関連づけられた識別値を記録装置に送信する送信手段と、
上記記録装置から通知された、上記コピーの可否を示す判定結果に応じて上記コピーを実行するコピー手段と、を備えていることを特徴とする複製装置。
【請求項７】
データを着脱可能な記録媒体から自機の記憶部にコピー可能な複製装置において、
上記データを上記着脱可能な記録媒体から上記記憶部にコピーする旨の指示を受け付けたときに、上記着脱可能な記録媒体に関連づけられた識別値を記録装置に送信する送信手段と、
上記記録装置から通知された、上記コピーの可否を示す判定結果に応じて上記コピーを実行するコピー手段と、を備えていることを特徴とする複製装置。
【請求項８】
コンテンツを表わすコンテンツデータを着脱可能な記録媒体に記録可能な記録装置と、上記コンテンツデータを上記着脱可能な記録媒体から自機の記憶部にコピー可能な複製装置と、を備えた複製システムであって、
上記記録装置は、
上記コンテンツデータのコピー可能回数と上記コンテンツデータを識別する識別値とを関連づけて自機の記憶部に記録するとともに、上記識別値と上記コンテンツデータとを関連づけて着脱可能な記録媒体に記録するコピー管理情報記録手段と、
上記識別値を上記複製装置から受信したときに、上記識別値と関連付けて記録されているコピー可能回数に基づいて上記コンテンツデータのコピーの可否を判定し、判定結果を上記複製装置に通知するとともに、上記判定結果が可である場合に上記コピー可能回数を減らすコピー管理情報更新手段と、を備え、
上記複製装置は、
上記識別値と関連づけて記録されているコンテンツデータを上記着脱可能な記録媒体から自機の記憶部にコピーする旨の指示を受け付けたときに、上記記録装置に上記識別値を送信する送信手段と、
上記判定結果が可である旨の通知を受けた場合に上記コピーを実行するコピー手段と、を備えていることを特徴とする複製システム。
【請求項９】
データを着脱可能な記録媒体に記録可能な記録装置と、データを着脱可能な記録媒体から自機の記憶部にコピー可能な複製装置、を備えた複製システムであって、
上記記録装置は、
着脱可能な記録媒体をコピー元とするコピー可能回数と自機に格納されている着脱可能な記録媒体を識別する識別値とを関連づけて自機の記憶部に記録するコピー管理情報記録手段と、
上記識別値を上記複製装置から受信したときに、上記識別値と関連付けて記録されているコピー可能回数に基づいて上記コピーの可否を判定し、判定結果を上記複製装置に通知するとともに、上記判定結果が可である場合に上記コピー可能回数を減らすコピー管理情報更新手段と、を備え、
上記複製装置は、
上記識別値が記録された着脱可能な記録媒体をコピー元として上記コピーを行う旨の指示を受け付けたときに、上記記録装置に上記識別値を送信する送信手段と、
上記判定結果が可である旨の通知を受けた場合に上記コピーを実行するコピー手段と、を備えていることを特徴とする複製システム。
【請求項１０】
コンテンツを表わすコンテンツデータを着脱可能な記録媒体に記録可能な記録装置のコピー制御方法において、
上記コンテンツデータのコピー可能回数と上記コンテンツデータを識別する識別値とを関連づけて自機の記憶部に記録するとともに、上記識別値と上記コンテンツデータとを関連づけて着脱可能な記録媒体に記録するコピー管理情報記録工程と、
着脱可能な記録媒体をコピー元として上記コンテンツデータをコピー可能な複製装置から上記識別値を受信したときに、上記識別値と関連付けて記録されているコピー可能回数に基づいて上記コンテンツデータのコピーの可否を判定し、判定結果を上記複製装置に通知するとともに、上記判定結果が可である場合に上記コピー可能回数を減らすコピー管理情報更新工程と、を含んでいることを特徴とするコピー制御方法。
【請求項１１】
データを着脱可能な記録媒体に記録可能な記録装置のコピー制御方法において、
着脱可能な記録媒体をコピー元とするコピー可能回数と自機に格納されている着脱可能な記録媒体を識別する識別値とを関連づけて自機の記憶部に記録するコピー管理情報記録工程と、
着脱可能な記録媒体をコピー元として上記データをコピー可能な複製装置から上記識別値を受信したときに、上記識別値と関連付けて記録されているコピー可能回数に基づいて上記コピーの可否を判定し、判定結果を上記複製装置に通知するとともに、上記判定結果が可である場合に上記コピー可能回数を減らすコピー管理情報更新工程と、を含んでいることを特徴とするコピー制御方法。
【請求項１２】
請求項１から５のいずれか１項に記載の記録装置を動作させるプログラムであって、コンピュータを上記の各手段として機能させるためのプログラム。
【請求項１３】
請求項１２に記載のプログラムを記録しているコンピュータ読み取り可能な記録媒体。
【発明の詳細な説明】
【技術分野】
【０００１】
本発明は、主に、自機に記録したコンテンツのコピーを制限可能な記録装置およびそのコピー制御方法に関する。
【背景技術】
【０００２】
近年、デジタル放送に対応したテレビや録画機器が急速に普及している。
【０００３】
デジタル放送には、放送されたコンテンツに画質の劣化が基本的に生じず、ユーザーは鮮明な映像を楽しむことができるという利点がある。
【０００４】
一方、上記デジタル放送の特性により、コピーを制限する手段が設けられていないとしたら、デジタル放送に対応した録画機器は、画質の劣化がないコンテンツを無制限に外部メディアにコピーできてしまい、コンテンツの著作者の権利を侵害することになってしまう。例えば、特許文献１には、光ディスクからＨＤＤ（ハードディスクドライブ）にコンテンツをコピーするコンピュータを備えたシステムが開示されているが、当該システムには、光ディスクからＨＤＤへのコンテンツのコピーを制限する手段がなく、有効にコンテンツの著作権を保護できない。
【０００５】
なお、ＨＤＤから外部メディアへのコピーを制限する手段としてはコピーワンスやダビング１０などが存在する。コピーワンスは対応録画機器のＨＤＤに記録されたコンテンツの外部メディアへの移動（ムーブ）を一度だけ許可し、２度以上のムーブやコピーを許可しない制限手段である。また、ダビング１０は、対応録画機器のＨＤＤに記録されたコンテンツの外部メディアへのコピーを９回まで許可し、ムーブを１度だけ許可する制限手段である。従って、コピーワンスやダビング１０の対応録画機器においては、ＨＤＤに録画されたコンテンツの著作者の権利を有効に保護することが可能である。
【先行技術文献】
【特許文献】
【０００６】
【特許文献１】特表２００７−５２０８４０号公報（２００７年０７月２６日公表）
【発明の概要】
【発明が解決しようとする課題】
【０００７】
上述のような従来技術に係るダビング１０対応の録画機器においては、コンテンツのコピー先やムーブ先は外部メディアであるため、複製されたコンテンツをユーザーが視聴するには、コンテンツが格納された外部メディアを持参し、外部メディアを再生機器に挿入して再生しなければならない。
【０００８】
また、ユーザーが、各々が別個の光ディスクに保存された複数のコンテンツを視聴する場合、視聴するコンテンツを変更する度に、光ディスクのイジェクトや新しい光ディスクの挿入を行わなければならず、コンテンツの再生機器についても、挿入された光ディスクの読み込み処理を行わなければならないので、ユーザーがコンテンツを視聴するまでに時間がかかってしまう。
【０００９】
一方、特許文献１に開示されたシステムは、コンテンツを光ディスクからＨＤＤにコピーすることが可能であるため、一度ＨＤＤにコンテンツがコピーされれば、ユーザーは、そのコンテンツの再生のために、そのコンテンツが記載された外部メディアを持参する必要がない。しかしながら、上述したように、当該システムには、光ディスクからＨＤＤへのコンテンツのコピーを制限する手段がなく、有効にコンテンツの著作権を保護できない。
【００１０】
本発明は、上記の問題に鑑みてなされたものであり、その目的は、光ディスク等の着脱可能な記録媒体に記録されたコンテンツをＨＤＤなどの記憶装置に、コンテンツの著作権を有効に保護した上でコピーすることが可能な複製システムを実現することにある。
【課題を解決するための手段】
【００１１】
本発明に係る記録装置は、上記課題を解決するために、コンテンツを表わすコンテンツデータを着脱可能な記録媒体に記録可能な記録装置において、上記コンテンツデータのコピー可能回数と上記コンテンツデータを識別する識別値とを関連づけて自機の記憶部に記録するとともに、上記識別値と上記コンテンツデータとを関連づけて着脱可能な記録媒体に記録するコピー管理情報記録手段と、着脱可能な記録媒体をコピー元として上記コンテンツデータをコピー可能な複製装置から上記識別値を受信したときに、上記識別値と関連付けて記録されているコピー可能回数に基づいて上記コンテンツデータのコピーの可否を判定し、判定結果を上記複製装置に通知するとともに、上記判定結果が可である場合に上記コピー可能回数を減らすコピー管理情報更新手段と、を備えていることを特徴としている。
【００１２】
上記の構成によれば、記録装置は、自機と通信可能に接続された複製装置においてコンテンツを着脱可能な記録媒体からコピーすることが可能な回数に対して、コンテンツ毎に制限をかけることができる。従って、記録装置は、自機と通信可能に接続された複製装置が、着脱可能な記録媒体に記録されたコンテンツをＨＤＤなどの記憶装置に、コンテンツの著作権を有効に保護した上でコピーすることを可能にするという効果を奏する。
【００１３】
本発明に係る複製装置のコピー制御方法は、上記課題を解決するために、データを着脱可能な記録媒体から自機の記憶部にコピー可能な複製装置のコピー制御方法において、上記データを上記着脱可能な記録媒体から上記記憶部にコピーする旨の指示を受け付けたときに、上記着脱可能な記録媒体に関連づけられた識別値を記録装置に送信する送信工程と、上記記録装置から通知された、上記コピーの可否を示す判定結果に応じて上記コピーを実行するコピー工程と、を含んでいることを特徴としている。
【００１４】
上記の構成によれば、本発明に係る複製装置のコピー制御方法は、本発明に係る複製装置と同様の作用効果を奏する。
【００１５】
本発明に係る記録装置は、上記課題を解決するために、データを着脱可能な記録媒体に記録可能な記録装置において、着脱可能な記録媒体をコピー元とするコピー可能回数と自機に格納されている着脱可能な記録媒体を識別する識別値とを関連づけて自機の記憶部に記録するコピー管理情報記録手段と、着脱可能な記録媒体をコピー元として上記コンテンツデータをコピー可能な複製装置から上記識別値を受信したときに、上記識別値と関連付けて記録されているコピー可能回数に基づいて上記コピーの可否を判定し、判定結果を上記複製装置に通知するとともに、上記判定結果が可である場合に上記コピー可能回数を減らすコピー管理情報更新手段と、を備えていることを特徴としている。
【００１６】
上記の構成によれば、記録装置は、自機と通信可能に接続された複製装置においてコンテンツを着脱可能な記録媒体からコピーすることが可能な回数に対して、着脱可能な記録媒体毎に制限をかけることができる。従って、記録装置は、自機と通信可能に接続された複製装置が、着脱可能な記録媒体に記録されたコンテンツをＨＤＤなどの記憶装置に、コンテンツの著作権を有効に保護した上でコピーすることを可能にするという効果を奏する。
【００１７】
本発明に係る記録装置のコピー制御方法は、上記課題を解決するために、データを着脱可能な記録媒体に記録可能な記録装置のコピー制御方法において、着脱可能な記録媒体をコピー元とするコピー可能回数と自機に格納されている着脱可能な記録媒体を識別する識別値とを関連づけて自機の記憶部に記録するコピー管理情報記録工程と、着脱可能な記録媒体をコピー元として上記コンテンツデータをコピー可能な複製装置から上記識別値を受信したときに、上記識別値と関連付けて記録されているコピー可能回数に基づいて上記コピーの可否を判定し、判定結果を上記複製装置に通知するとともに、上記判定結果が可である場合に上記コピー可能回数を減らすコピー管理情報更新工程と、を含んでいることを特徴としている。
【００１８】
上記の構成によれば、本発明に係る記録装置のコピー制御方法は、本発明に係る記録装置と同様の作用効果を奏する。
【００１９】
本発明に係る複製装置は、上記課題を解決するために、コンテンツを表わすコンテンツデータを着脱可能な記録媒体から記憶部にコピー可能な複製装置において、上記コンテンツデータを上記着脱可能な記録媒体から上記記憶部にコピーする旨の指示を受け付けたときに、上記コンテンツデータに関連づけられた識別値を記録装置に送信する送信手段と、上記記録装置から通知された、上記コピーの可否を示す判定結果に応じて上記コピーを実行するコピー手段と、を備えていることを特徴としている。
【００２０】
上記の構成によれば、上記識別値と関連づけて記録されているコピー可能回数に基づいて上記コピーの可否を判定する記録装置であって判定結果を複製装置に通知する記録装置が上記複製装置に通信可能に接続されれば、複製装置において、コンテンツを着脱可能な記録媒体からコピーすることが可能な回数に対して、コンテンツ毎に制限がかかる。従って、複製装置は、着脱可能な記録媒体に記録されたコンテンツをＨＤＤなどの記憶装置に、コンテンツの著作権を有効に保護した上でコピーすることができるという効果を奏する。
【００２１】
本発明に係る複製装置は、上記課題を解決するために、データを着脱可能な記録媒体から自機の記憶部にコピー可能な複製装置において、上記データを上記着脱可能な記録媒体から上記記憶部にコピーする旨の指示を受け付けたときに、上記着脱可能な記録媒体に関連づけられた識別値を記録装置に送信する送信手段と、上記記録装置から通知された、上記コピーの可否を示す判定結果に応じて上記コピーを実行するコピー手段と、を備えていることを特徴としている。
【００２２】
上記の構成によれば、上記識別値と関連づけて記録されているコピー可能回数に基づいて上記コピーの可否を判定する記録装置であって判定結果を複製装置に通知する記録装置が上記複製装置に通信可能に接続されれば、複製装置において、着脱可能な記録媒体をコピー元としてコンテンツをコピーすることが可能な回数に対して、着脱可能な記録媒体毎に制限がかかる。従って、複製装置は、着脱可能な記録媒体に記録されたコンテンツをＨＤＤなどの記憶装置に、コンテンツの著作権を有効に保護した上でコピーすることができるという効果を奏する。
【００２３】
本発明に係る複製システムは、上記課題を解決するために、コンテンツを表わすコンテンツデータを着脱可能な記録媒体に記録可能な記録装置と、上記コンテンツデータを上記着脱可能な記録媒体から自機の記憶部にコピー可能な複製装置と、を備えた複製システムであって、上記記録装置は、上記コンテンツデータのコピー可能回数と上記コンテンツデータを識別する識別値とを関連づけて自機の記憶部に記録するとともに、上記識別値と上記コンテンツデータとを関連づけて着脱可能な記録媒体に記録するコピー管理情報記録手段と、上記識別値を上記複製装置から受信したときに、上記識別値と関連付けて記録されているコピー可能回数に基づいて上記コンテンツデータのコピーの可否を判定し、判定結果を上記複製装置に通知するとともに、上記判定結果が可である場合に上記コピー可能回数を減らすコピー管理情報更新手段と、を備え、上記複製装置は、上記識別値と関連づけて記録されているコンテンツデータを上記着脱可能な記録媒体から自機の記憶部にコピーする旨の指示を受け付けたときに、上記記録装置に上記識別値を送信する送信手段と、上記判定結果が可である旨の通知を受けた場合に上記コピーを実行するコピー手段と、を備えていることを特徴としている。
【００２４】
上記の構成によれば、記録装置は、コンテンツデータのコピー可能回数と上記コンテンツデータを識別する識別値とを関連づけて自機の記憶部に記録するとともに、識別値とコンテンツデータとを関連づけて着脱可能な記録媒体に記録する。また、複製装置は、識別値と関連づけて記録されているコンテンツデータを着脱可能な記録媒体から自機の記憶部にコピーする旨の指示を受け付けたときに、記録装置を識別する識別値を送信する。そして、記録装置は、識別値を複製装置から受信したときに、識別値と関連付けて記録されているコピー可能回数に基づいてコンテンツデータのコピーの可否を判定し、判定結果を複製装置に通知するとともに、上記判定結果が可である場合に上記コピー可能回数を減らす。複製装置は、判定結果が可である旨の通知を受けた場合にコピーを実行する。
【００２５】
従って、複製システムでは、複製装置がコンテンツを着脱可能な記録媒体からコピーする度に記録装置が自機の記憶部に記録されている当該コンテンツのコピー可能回数を減らし、記録装置は当該コンテンツのコピー可能回数に基づいてコピーの可否を判定するので、複製装置においてコンテンツを着脱可能な記録媒体からコピーすることが可能な回数に対して、コンテンツ毎に制限がかかる。
【００２６】
これにより、複製システムは、着脱可能な記録媒体に記録されたコンテンツをＨＤＤなどの記憶装置に、コンテンツの著作権を有効に保護した上でコピーすることができるという効果を奏する。
【００２７】
本発明に係る複製システムは、上記課題を解決するために、データを着脱可能な記録媒体に記録可能な記録装置と、データを着脱可能な記録媒体から自機の記憶部にコピー可能な複製装置、を備えた複製システムであって、上記記録装置は、着脱可能な記録媒体をコピー元とするコピー可能回数と自機に格納されている着脱可能な記録媒体を識別する識別値とを関連づけて自機の記憶部に記録するコピー管理情報記録手段と、上記識別値を上記複製装置から受信したときに、上記識別値と関連付けて記録されているコピー可能回数に基づいて上記コピーの可否を判定し、判定結果を上記複製装置に通知するとともに、上記判定結果が可である場合に上記コピー可能回数を減らすコピー管理情報更新手段と、を備え、上記複製装置は、上記識別値が記録された着脱可能な記録媒体をコピー元として上記コピーを行う旨の指示を受け付けたときに、上記記録装置に上記識別値を送信する送信手段と、上記判定結果が可である旨の通知を受けた場合に上記コピーを実行するコピー手段と、を備えていることを特徴としている。
【００２８】
上記の構成によれば、記録装置は、着脱可能な記録媒体をコピー元とするコピー可能回数と自機に格納されている着脱可能な記録媒体を識別する識別値とを関連づけて自機の記憶部に記録する。また、複製装置は、識別値が記録された着脱可能な記録媒体をコピー元として上記コピーを行う旨の指示を受け付けたときに、上記記録装置に上記識別値を送信する。そして、記録装置は、識別値を複製装置から受信したときに、識別値と関連付けて記録されているコピー可能回数に基づいてコピーの可否を判定し、判定結果を複製装置に通知するとともに、判定結果が可である場合にコピー可能回数を減らす。複製装置は、判定結果が可である旨の通知を受けた場合にコピーを実行する。
【００２９】
従って、複製システムでは、複製装置が着脱可能な記録媒体をコピー元としてコピーを行う度に記録装置が自機の記憶部に記録されている当該着脱可能な記録媒体のコピー可能回数を減らし、記録装置は当該着脱可能な記録媒体のコピー可能回数に基づいてコピーの可否を判定するので、複製装置において着脱可能な記録媒体をコピー元ととしてコンテンツをコピーすることが可能な回数に対して、着脱可能な記録媒体毎に制限がかかる。
【００３０】
これにより、複製システムは、着脱可能な記録媒体に記録されたコンテンツをＨＤＤなどの記憶装置に、コンテンツの著作権を有効に保護した上でコピーすることができるという効果を奏する。
【００３１】
本発明に係る記録装置は、上記コピー管理情報記録手段が、上記識別値と上記コンテンツデータとを関連づけて着脱可能な記録媒体に記録するとともに、自機の記憶部に上記識別値と関連づけて上記コンテンツデータを記録することが望ましい。
【００３２】
また、本発明に係る記録装置は、上記コンテンツデータを自機の記憶部に記録する旨の指示をユーザーから受け付ける指示受付手段をさらに備え、上記コピー管理情報記録手段は、上記指示を受け付けた場合に限り、上記記憶部に上記識別値と関連づけて上記コンテンツデータを記録することが望ましい。
【００３３】
本発明に係る記録装置は、上記コピー管理情報更新手段が、上記識別値とともに上記複製装置において上記コピーを実行可能な回数であるコピー実行回数を受信した場合であり、かつ、上記判定結果が可である場合に、上記コピー可能回数から上記コピー実行回数を減らすことが望ましい。
【００３４】
上記の構成によれば、記録装置は、自機と通信可能に接続された複製装置に装填された着脱可能な記録媒体から自機の記憶部に記録されたコンテンツデータを他の着脱可能な記録媒体へコピーすることが可能な回数を制限することができるというさらなる効果を奏する。
【００３５】
なお、上記記録装置は、コンピュータによって実現してもよい。この場合、コンピュータを上記各手段として動作させることにより上記記録装置をコンピュータにおいて実現するコピー制御プログラムは本発明の範疇に入る。
【００３６】
また、上記コピー制御プログラムを記録したコンピュータ読み取り可能な記録媒体も、本発明の範疇に入る。
【発明の効果】
【００３７】
本発明に係る複製システムは、以上のように、コンテンツを表わすコンテンツデータを着脱可能な記録媒体に記録可能な記録装置と、上記コンテンツデータを上記着脱可能な記録媒体から自機の記憶部にコピー可能な複製装置と、を備えた複製システムであって、上記記録装置は、上記コンテンツデータのコピー可能回数と上記コンテンツデータを識別する識別値とを関連づけて自機の記憶部に記録するとともに、上記識別値と上記コンテンツデータとを関連づけて着脱可能な記録媒体に記録するコピー管理情報記録手段と、上記識別値を上記複製装置から受信したときに、上記識別値と関連付けて記録されているコピー可能回数に基づいて上記コンテンツデータのコピーの可否を判定し、判定結果を上記複製装置に通知するとともに、上記判定結果が可である場合に上記コピー可能回数を減らすコピー管理情報更新手段と、を備え、上記複製装置は、上記識別値と関連づけて記録されているコンテンツデータを上記着脱可能な記録媒体から自機の記憶部にコピーする旨の指示を受け付けたときに、上記記録装置に上記識別値を送信する送信手段と、上記判定結果が可である旨の通知を受けた場合に上記コピーを実行するコピー手段と、を備えている。
【００３８】
従って、複製システムは、着脱可能な記録媒体に記録されたコンテンツをＨＤＤなどの記憶装置に、コンテンツの著作権を有効に保護した上でコピーすることができるという効果を奏する。
【図面の簡単な説明】
【００３９】
【図１】実施形態に係る光学ドライブシステムのブロック図である。
【図２】実施形態に係るレコーダ装置の要部構成を示すブロック図である。
【図３】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図４】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図５】実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図６】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図７】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図８】本実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図９】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１０】コンテンツの同期処理後の記憶部およびディスク１の状態を示す図である。
【図１１】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１２】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１３】領域１に記録されていたコンテンツ１およびコンテンツ２を削除した後に、新たにコンテンツ４を録画したときの記憶部およびディスク１の状態を示す図である。
【図１４】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１５】コンテンツ１〜３を記録したディスク１が装填されている場合の各記憶部の状態を示す図である。
【図１６】マイディスクが装填されている場合において、再生時にコンテンツが読み出される媒体を模式的に示した図である。
【図１７】ドライブ部に光ディスクが装填されていない場合の各記憶部の状態を示す図である。
【図１８】マイディスクが装填されていない場合において、再生時にコンテンツが読み出される媒体を模式的に示した図である。
【図１９】マイディスクが装填されている場合において、コンテンツが編集される媒体を模式的に示した図である。
【図２０】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２１】本実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２２】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２３】表示装置におけるコンテンツおよびタイトルリストに記録されている情報の表示を概略的に示す図である。
【図２４】実施形態に係るダビング装置の要部構成を示すブロック図である。
【図２５】実施形態に係るダビング装置の表示部に表示されるユーザーインターフェースを説明する図である。
【図２６】実施形態に係るダビング装置において光ディスクからＨＤＤへのコピーの指示を受け付けたときに行われるレコーダ装置およびダビング装置の動作を示すシーケンス図である。
【図２７】実施形態の変形例において、タイトル管理領域に格納されるタイトル管理情報を説明する図である。
【図２８】実施形態の変形例に係るダビング装置の表示部に表示されるユーザーインターフェースを説明する図である。
【図２９】実施形態の変形例に係るダビング装置において光ディスクからＨＤＤへのコピーの指示を受け付けたときに行われるレコーダ装置およびダビング装置の動作を示すシーケンス図である。
【発明を実施するための形態】
【００４０】
以下、本発明の複製システムの一実施形態に係る光学ドライブシステムについて、図１〜図２９を用いて以下に詳細に説明する。
【００４１】
図１は、光学ドライブシステムの構成を示すブロック図である。
【００４２】
図１に示すように、本実施形態の光学ドライブシステム１０００は、レコーダ装置１００およびレコーダ装置１００と通信可能に接続された１つ以上のダビング装置５００を含んでいる。また、レコーダ装置１００のドライブ部３００およびダビング装置５００の光ディスクドライブ部５４０は、光ディスクにデータを書き込むか、あるいは光ディスクからデータを読み出す装置として実現され、光ディスクとしては、ＢＤ（Blu-ray Disc）、ＤＶＤ（Digital Versatile Disc）、ＣＤ（Compact Disc）などが想定される。なお、本発明の複製システムは光学ドライブシステム１０００に限定されるものではない。すなわち、複製システムを構成する記録装置および複製装置には、それぞれ、ドライブ部３００、光ディスクドライブ部５４０に代えて、フレキシブルディスク、光磁気ディスクなど、着脱可能な記録媒体にデータを書き込むドライブ装置一般を適用することができることを述べておく。
【００４３】
以下にレコーダ装置１００およびダビング装置５００についてそれぞれ説明する。
【００４４】
最初に、本発明に係るレコーダ装置の構成および当該レコーダ装置の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００４５】
また、本実施形態に係るレコーダ装置１００は、レコーダ装置１００において記録したコンテンツをダビング可能か否かについての問い合わせをダビング装置５００から受け付け、ダビング可否を判定して判定結果をダビング装置５００に通知するコピー管理機能を有している。
【００４６】
（レコーダ装置１００の構成）
本実施形態に係るレコーダ装置の構成について、図２を参照しつつ以下に説明する。図２は、レコーダ装置１００の要部構成を示すブロック図である。
【００４７】
図２に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００４８】
ドライブ部３００は、従来の光ディスクドライブ装置が備えている機能に加え、以下の機能を新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行う。以下、このようなバックエンド部２００およびドライブ部３００の構成例について、以下に順に説明する。
【００４９】
バックエンド部２００は、図２に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図２に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００５０】
ドライブ部３００は、図２に示すように、インターフェース部３１０、ドライブ制御部３２０、ディスクドライブ部３３０および記憶部３４０を備えている。また、図２に示すように、インターフェース部３１０、ドライブ制御部３２０、ディスクドライブ部３３０および記憶部３４０は、バスラインを介して互いに接続されている。
【００５１】
バックエンド部２００およびドライブ部３００の備える各部材について、以下に説明する。
【００５２】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００５３】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００５４】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００５５】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００５６】
（バックエンド制御部２４０）
バックエンド制御部２４０は、レコーダ装置１００におけるコンテンツデータの記録および再生全般を制御する。
【００５７】
ストリーム処理部２３０において復元したコンテンツデータを、ドライブ部３００に装填されている光ディスクに対して記録することなく表示装置に対して出力する場合、バックエンド制御部２４０は、デコーダ部２６０に対して、バッファ部２５０に格納されているコンテンツデータを読み出すように指示する。
【００５８】
ストリーム処理部２３０において復元したコンテンツデータを、ドライブ部３００に装填されている光ディスクに対して記録する場合、バックエンド制御部２４０は、コンテンツデータをドライブ部３００に装填されている光ディスクに対して、書き込み命令および書き込み対象データをインターフェース部２９０を介して、ドライブ制御部３２０に出力する。
【００５９】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００６０】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００６１】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００６２】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００６３】
インターフェース部３１０は、入力されたデータをインターフェース部２９０を介してバックエンド部２００に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００６４】
なお、本実施形態では、インターフェース部２９０、３１０がＳＡＴＡである場合を例に挙げて説明する。
【００６５】
（通信部２９５）
通信部２９５は、ダビング可否問い合わせやマイディスク登録有無の問い合わせ等に応答するためにダビング装置５００と通信を行う。
【００６６】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００６７】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００６８】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して、記憶部３４０の記録対象領域（対象マイディスク）を指定した後に、書き込み命令および書き込み対象データを表すＡＴＡコマンドをドライブ制御部３２０に出力するようにしてもよい。なお、これは書き込み命令に限るものではなく、読み出し命令についても同様である。
【００６９】
（ディスクドライブ部３３０）
ディスクドライブ部３３０は、ドライブ制御部３２０からの指示に基づいて駆動され、装填されている光ディスクからのデータの読み出し、または光ディスクに対するデータの書き込みを実行する。
【００７０】
ディスクドライブ部３３０には、装填されている光ディスクからデータを読み出したり、光ディスクに対してデータを書き込んだりするための光ヘッド部が備えられている。
【００７１】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００７２】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００７３】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図３（ａ）および（ｂ）および図４（ａ）および（ｂ）を参照して説明する。レコーダ装置１００における事前設定は、記憶部３４０の初期化処理と、記憶部３４０に対する光ディスクの登録処理の２つに大別することができる。
【００７４】
（記憶部３４０の初期化処理）
記憶部３４０の初期化処理について、図３（ａ）および（ｂ）を参照しつつ説明する。図３（ａ）および（ｂ）は、記憶部３４０の初期化処理を示す図であり、（ａ）は記憶部３４０の初期化の際における表示装置の表示の一例を示す図であり、（ｂ）は初期化処理後の記憶部３４０を模式的に示す図である。
【００７５】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００７６】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図３（ａ）に示すような画像を表示することが好ましい。
【００７７】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００７８】
図３（ｂ）は、初期化処理後の記憶部３４０を示している。図３（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００７９】
管理領域は、図３（ｂ）に示すように、領域１〜領域ｎを管理するマイディスク管理領域と、マイディスク管理領域を管理するメモリ管理領域と、に分けることができる。
【００８０】
マイディスク管理領域には、領域１〜領域ｎの各領域を管理する管理情報が記録されている。図３（ｂ）では、便宜上、領域１を管理する管理情報の記録されている領域を「エントリ１」と称し、以下同様に領域２〜ｎを管理する管理情報の記録されている領域をエントリ２〜ｎと称する。
【００８１】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００８２】
「エントリ番号」は、いずれの領域を管理するのかを示す情報である。例えば、エントリ１は、領域１を管理する管理情報であるため、エントリ番号としては「１」を示す情報が記録されている。
【００８３】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００８４】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００８５】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【００８６】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００８７】
「マップ情報」は、光ディスクに記録されたコンテンツのそれぞれについて、当該コンテンツが記録される光ディスクの領域を示すアドレスである仮想アドレスと、当該コンテンツが記録されている記億部３４０上の領域を示すアドレスである物理アドレスとの対応付けを示すマップテーブルである。マップ情報として記録されているマップテーブルの詳細については、下記で詳述するため、ここでは説明を省略する。
【００８８】
また、メモリ管理領域には、図３（ｂ）に示すように、「エントリ数」情報および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００８９】
なお、記憶部３４０を領域１〜領域ｎに仮想的に分割した時に生じる余りの領域を予備領域として活用するようにしてもよい。
【００９０】
（光ディスクの登録処理）
次に、記憶部３４０に対する光ディスクの登録処理について、図４（ａ）および（ｂ）を参照しつつ説明する。図４（ａ）および（ｂ）は、光ディスクの登録処理を示す図であり、（ａ）は光ディスクの登録処理の際における表示装置の表示の一例を示した図であり、（ｂ）は光ディスクの登録処理後の記憶部３４０を模式的に示した図である。
【００９１】
光ディスクの登録処理とは、記憶部３４０において仮想的に分割されている各領域を管理するエントリに対して、光ディスクのメディアＩＤを記録する処理である。
【００９２】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００９３】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００９４】
なお、上述した光ディスクの登録処理は、読み出したメディアＩＤが自動的に割り当てフラグが「０」であるエントリに記録される場合を説明しているが、実際にはレコーダ装置１００が、当該メディアＩＤをエントリに記録するか否かをユーザーに問い合わせることが好ましい。この場合、レコーダ装置１００がユーザーからメディアＩＤをエントリに記録する旨の指示を受けてから、ドライブ制御部３２０がメディアＩＤを記録する。
【００９５】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【００９６】
なお、メディアＩＤをエントリに記録する際には、表示装置に図４（ａ）に示すような画像を表示するようにすることが好ましい。
【００９７】
図４（ｂ）は、メディアＩＤ「ａａａ」を有する光ディスクをエントリ１に記録した場合における光ディスクの登録後の記憶部３４０の状態を示している。
【００９８】
光ディスクのメディアＩＤをエントリ１に記録した場合、図４（ｂ）に示すように、光ディスクはエントリ１により管理される領域１に対して対応付けられることになる。
【００９９】
本明細書等では、記憶部３４０における各領域に対して対応付けられた光ディスク、すなわち自身の有するメディアＩＤが記億部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【０１００】
（コンテンツの予約録画動作）
上述した事前設定の完了しているレコーダ装置１００におけるコンテンツ録画動作、コンテンツ再生動作、コンテンツ編集動作、およびコンテンツコピー動作について、以下に説明する。
【０１０１】
レコーダ装置１００におけるコンテンツ録画動作について、図５（ａ）〜（ｃ）〜図１４（ａ）〜（ｃ）を参照して以下に説明する。なお、ここでは、コンテンツ録画動作として、予約録画処理を例に挙げて説明する。
【０１０２】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理についてそれぞれ以下に説明する。
【０１０３】
（予約登録処理）
まず、レコーダ装置１００における予約登録処理について、図５（ａ）〜（ｃ）を参照しつつ以下に説明する。図５（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１０４】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１０５】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図５（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１０６】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図５（ｂ））。このとき、ディスク１には、既にメディアＩＤは記録されているため、メディアＩＤについては記録しなくてもよい。
【０１０７】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１０８】
図５（ｃ）には、記憶部３４０の領域１に対応付けられたディスク１を装填している場合に予約登録した際の表示装置に表示する画像の一例を示している。
【０１０９】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図６（ａ）および（ｂ）を参照しつつ以下に説明する。図６（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１１０】
マイディスクが装填されている状態でコンテンツ１を録画する場合には、最初にコンテンツ１が領域１に録画され、その後領域１の録画されたコンテンツ１がマイディスク１に記録される。なお、領域１へのコンテンツ１の録画の際に、コンテンツ毎に一意に割り振られたコンテンツＩＤをコンテンツ１に含めて録画される。このコンテンツＩＤは、後述するように、ダビング装置５００からコンテンツをダビング可能か否かの問い合わせを受けた際に、問い合わせの対象となるコンテンツを特定するために使用されるものである。
【０１１１】
コンテンツ１の録画が完了すると、図６（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１１２】
次に、コンテンツ１を記憶部３４０の領域１およびディスク１に記録した際の記憶部３４０および記憶部２８０の状態について図７（ａ）〜（ｃ）を参照しつつ以下に説明する。図７（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１１３】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１１４】
図７（ａ）には、記憶部３４０の領域１における仮想ディスクイメージを示している。図７（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１１５】
続いて、図７（ａ）において示した物理アドレスと仮想アドレスとの関連付けを実現するためのマップテーブルについて、図７（ｂ）を参照しつつ説明する。
【０１１６】
マップテーブルは、記憶部３４０のマイディスク管理領域におけるマップ情報として記録されている。マップテーブルは、図７（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１１７】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１１８】
マップテーブルは、コンテンツ１が領域１に記録されると共に内容が更新される。記憶部３４０の領域１が図７（ａ）に示す状態である場合のマップテーブルを、図７（ｂ）に示す。図７（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１１９】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１２０】
なお、図７（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１２１】
また、コンテンツ１が領域１に記録されると共に、記憶部２８０のディスク１のタイトル管理領域にタイトル管理情報として記録されているタイトル管理テーブルが更新される。コンテンツ１に関する情報が設定されるコンテンツ管理領域に記録されているタイトル管理テーブルについて、図７（ｃ）を参照して説明する。なお、タイトル管理領域は、記憶部３４０において仮想的に分割されている領域の数だけ記憶部２８０に設けられている。
【０１２２】
タイトル管理テーブルには、図７（ｃ）に示すように、ディスク１のメディアＩＤ情報が記録されるとともに、各コンテンツを示すタイトル名に対して、コンテンツの再生所要時間、コンテンツの再生画質、コンテンツの残りダビング回数（コピー可能回数、本実施形態においては最大で１０とする）、同期状態を示す情報、およびコンテンツＩＤが関連付けられて記録されている。なお、コンテンツ１を示すタイトルをタイトル１として表記する。同様に、コンテンツ２〜コンテンツｎを示すタイトルをタイトル２〜タイトルｎとして表記する。また、前述したように、図７（ｃ）に記録されているコンテンツＩＤ「ｂｂｂ」とは、当該コンテンツＩＤと関連づけて記録されているコンテンツを特定するための識別値である。
【０１２３】
図７（ｂ）に示したマップテーブルを設定したときのタイトル管理テーブルの一例を、図７（ｃ）に示している。このとき、タイトル１における残りダビング回数は、コンテンツ１をディスク１へ記録したため、残り１０回から１回減算されて「９」回となっている。
【０１２４】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図８（ａ）および（ｂ）を参照しつつ以下に説明する。図８（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１２５】
レコーダ装置１００において、記憶部２８０の予約情報管理領域に記録されている予約情報により録画されるコンテンツ（コンテンツ２）の録画が開始された時点でドライブ部３００にディスク１が装填されていない場合、バックエンド制御部２４０はコンテンツ２を記憶部３４０の領域１に記録するようにドライブ制御部３２０に対して指示する。バックエンド制御部２４０からの指示を受けたドライブ制御部３２０は、コンテンツ２を記憶部３４０の領域１に記録する。このとき、ディスク１はドライブ部３００に装填されていないため、ディスク１に対してコンテンツ２を記録する処理は実行されない。
【０１２６】
コンテンツ２の録画が終了すると、図８（ｂ）に示すように、バックエンド制御部２４０は記憶部２８０における予約情報管理領域からコンテンツ２の予約録画を示す予約情報を消去する。
【０１２７】
次に、コンテンツ２を記憶部３４０の領域１に記録した際の記憶部３４０および記憶部２８０の状態について図９（ａ）〜（ｃ）を参照しつつ以下に説明する。図９（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１２８】
図９（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１２９】
コンテンツ２が領域１に記録されると共に、記憶部３４０のエントリ１におけるマップ情報に記録されているマップテーブルも更新される。記憶部３４０の領域１が図９（ａ）に示す状態のマップテーブルを、図９（ｂ）に示す。図９（ｂ）に示すように、図７（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１３０】
また、図９（ｃ）には、図９（ｂ）に示したマップテーブルが設定されたときのタイトル管理テーブルの一例を示している。図９（ｃ）に示すように、タイトル管理テーブルでは、図７（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１３１】
（コンテンツの同期処理）
次に、記憶部３４０に記録されたコンテンツであってマイディスクに対して記録されていないコンテンツを、マイディスクに対して記録する同期処理について、図１０〜図１２（ａ）〜（ｃ）を参照して以下に説明する。
【０１３２】
ディスク１がドライブ部３００に装填されると、ドライブ制御部３２０は、マップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録するようにディスクドライブ部３３０に対して指示する。ディスクドライブ部３３０は、ドライブ制御部３２０からの指示を受けて記憶部３４０の領域１に記録されているコンテンツ２をディスク１に書き込む。これによって、記憶部３４０の領域１に記録されているコンテンツ１およびコンテンツ２がいずれもディスク１にも記録されている状態になる（図１０）。すなわち、コンテンツ２は同期状態となる。
【０１３３】
ドライブ制御部３２０は、ディスク１に対するコンテンツ２の書き込みが完了すると、バックエンド部３００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１３４】
また、ドライブ制御部３２０は、ディスク１に対するコンテンツ２の書き込みが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１０）。なお、図１０は、コンテンツの同期処理後の記憶部３４０およびディスク１の状態を示す図である。
【０１３５】
次に、記憶部３４０の領域１に記録されているコンテンツ２をディスク１に記録した際の記憶部３４０および記憶部２８０の状態について図１１（ａ）〜（ｃ）を参照しつつ以下に説明する。図１１（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１３６】
同期処理の前には、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができる。従って、図１１（ａ）に示すように、同期処理において、コンテンツ２は、ディスク１のアドレス「０ｘ２５０」を先頭アドレスとしてディスク１に記録される。
【０１３７】
コンテンツ２の同期処理が完了すると、図１１（ｂ）に示すように、エントリ１のマップ情報に記録されているマップテーブルの同期フラグが、コンテンツがマイディスクに記録されていることを表す「１」となる。また、図１１（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１３８】
次に、ディスク１において「０ｘ２５０」を先頭アドレスとするコンテンツ（コンテンツ３）が既に記録されている場合のコンテンツ２の同期処理について、図１２（ａ）〜（ｄ）を参照して以下に説明する。
【０１３９】
図１２（ａ）は、コンテンツを同期処理する前の記憶部３４０の状態を示す図であり、図１２（ｂ）〜（ｄ）は、コンテンツ２を同期処理した際の記憶部３４０および記憶部２８０の状態を示す図である。（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１４０】
図１２（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１４１】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１４２】
このとき、領域１のマップテーブルについても、図１２（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１４３】
同様に、図１２（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報が登録される。このとき、コンテンツ３は、ディスク１にのみ記録されているコンテンツであり、ダビングすることはできないため、タイトル３における残りダビング回数は表示されない。
【０１４４】
（領域１におけるコンテンツの削除）
記憶部３４０における領域１の空き容量が少なくなった場合には、領域１に記録されているコンテンツを消去するようにすればよい。領域１に記録されているコンテンツの消去は、ユーザーの指示により実行されるようにしてもよいし、領域１における空き容量が所定値以下となった場合に自動的に実行されるようにしてもよい。
【０１４５】
図１３には、領域１に記録されていたコンテンツ１およびコンテンツ２を削除した後に、新たにコンテンツ４を録画したときの記憶部３４０およびディスク１の状態を示している。なお、図１３は、マイディスクが装填されている状態での録画のため、コンテンツ４はディスク１に対しても記録されている。
【０１４６】
図１３に示す状態、すなわちコンテンツ１およびコンテンツ２を領域１から削除した後に領域１にコンテンツ４を記録したときの記憶部３４０および記憶部２８０の状態について図１４（ａ）〜（ｃ）を参照しつつ以下に説明する。図１４（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１４７】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１４（ａ）に示すように、コンテンツ１およびコンテンツ２は、仮想ディスクイメージ上においては消去されることなく残されている。すなわち、図１４（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１４８】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１４９】
また、図１４（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１５０】
（コンテンツ再生動作）
次に、レコーダ装置１００におけるコンテンツの再生動作について、図１５〜図１８を参照しつつ以下に説明する。
【０１５１】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１５２】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１５３】
（マイディスクが装填されている場合の再生処理）
マイディスクが装填されている場合の再生処理について、図１５および図１６を参照して以下に説明する。図１５は、コンテンツ１〜３を記録したディスク１が装填されている場合の記憶部３４０および記憶部２８０の状態を示す図である。図１６は、再生するコンテンツが読み出される媒体を模式的に示した図である。
【０１５４】
図１５に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１５では、タイトル管理テーブルの詳細については省略して示している。
【０１５５】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１５６】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１５７】
領域１からコンテンツ１を読み出したドライブ制御部３２０は、読み出したコンテンツ１を、インターフェース部３１０を介してバックエンド部２００に出力する。
【０１５８】
このように、読み出しの対象となるコンテンツがマイディスクにも記憶部３４０にも記録されている場合、図１６に示すように、コンテンツは記憶部３４０から読み出される。
【０１５９】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１６０】
ディスク１からコンテンツ３が読み出されると、ドライブ制御部３２０は、読み出したコンテンツ３を、インターフェース部３１０を介してバックエンド部２００に出力する。
【０１６１】
このように、読み出しの対象となるコンテンツが記憶部３４０に記録されていない場合、図１６に示すように、コンテンツはマイディスクから読み出される。
【０１６２】
（マイディスクが装填されていない場合の再生処理）
続いて、マイディスクが装填されていない場合の再生処理について、図１７および図１８を参照して以下に説明する。図１７は、ドライブ部３００に光ディスクが装填されていない場合の記憶部３４０および記憶部２８０の状態を示す図である。図１８は、再生するコンテンツが読み出される媒体を模式的に示した図である。
【０１６３】
図１７に示すように、記憶部３４０の領域１には、コンテンツ１およびコンテンツ２が記録されている。しかし、図１５の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１７では、図１５と同様に、タイトル管理テーブルの詳細については省略して示している。
【０１６４】
図１７に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１６５】
すなわち、図１８に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１６６】
なお、図１８に示すコンテンツ１の読み出し処理は、マイディスクが装填されている場合におけるコンテンツ１の読み出し処理と同様であるため、ここでは説明を省略する。
【０１６７】
（コンテンツ編集動作）
次に、レコーダ装置１００におけるコンテンツの編集動作について、図１９および図２０（ａ）および（ｂ）を参照しつつ以下に説明する。
【０１６８】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１６９】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１７０】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１７１】
（マイディスクが装填されている場合の編集処理）
マイディスクが装填されている場合の編集処理について、図１５および図１９を参照して以下に説明する。図１９は、コンテンツが編集される媒体を模式的に示した図である。
【０１７２】
図１５に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１５では、タイトル管理テーブルの詳細については省略して示している。
【０１７３】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１７４】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録さえているコンテンツ１のデータが変更されることになる。
【０１７５】
このように、データを変更する対象となるコンテンツがマイディスクにも記憶部３４０にも記録されている場合、図１９に示すように、記憶部３４０に記録されているコンテンツのデータが変更されることになる。
【０１７６】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１７７】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１７８】
（マイディスクが装填されていない場合の編集処理）
続いて、マイディスクが装填されていない場合のコンテンツの編集処理について、図１７および図２０（ａ）および（ｂ）を参照して以下に説明する。図２０（ａ）および（ｂ）は、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１７９】
図１７に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。しかし、ディスク１にのみ記録されており、記憶部３４０の領域１には記録されていないコンテンツについては、コンテンツの消去予約設定（仮想ディスクイメージ上のコンテンツの消去）のみを行うことができる。
【０１８０】
すなわち、図２０（ａ）に示すように、マイディスクには記録されており、記憶部３４０には記録されていないコンテンツ３は、仮想ディスクイメージ上でのコンテンツの消去のみを行うことができる。このとき、ドライブ制御部３２０は、記憶部３４０のエントリ１に記録されているマップテーブルにおける仮想ディスクマップのコンテンツ３に関する情報を消去するように設定する。
【０１８１】
そして、次にディスク１が装填されたとき、ドライブ制御部３２０は、ディスクドライブ部３３０に対してコンテンツ３を消去するように指示する。また同時に、ドライブ制御部３２０は、マップテーブルにおける仮想ディスクマップのコンテンツ３に関する情報を消去する。これによって、図２０（ｂ）に示すように、ディスク１および仮想ディスクイメージのいずれからもコンテンツ３が消去されることになる。
【０１８２】
また、図２０（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対しても反映させる。このとき、エントリ１に記録されているマップテーブルについても併せて更新する。
【０１８３】
（コンテンツコピー動作）
次に、レコーダ装置１００におけるコンテンツのコピー動作について、図２１（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。
【０１８４】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１８５】
レコーダ装置１００におけるメモリ内コピー動作について、図２１（ａ）および（ｂ）を参照しつつ以下に説明する。図２１（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１８６】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２１（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０１８７】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２１（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０１８８】
なお、図２１（ａ）に示すように、ディスク２はドライブ部３００に装填されていないため、領域２に記録されているコンテンツ２の同期状態は、未同期を表す情報である。
【０１８９】
（マイディスクの登録解除）
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０１９０】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを表すタイトルを認識することができなくなる。
【０１９１】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０１９２】
ここで、光ディスクのファイルシステムを利用したデータ管理について、図２２（ａ）〜（ｃ）を参照しつつ以下に説明する。図２２（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０１９３】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０１９４】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２２（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０１９５】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０１９６】
なお、図２２（ａ）には、ディスク１に関するファイルシステムについてのみ示しているが、記憶部２８０のファイルシステム管理領域には、マイディスクとして登録されているディスクの数だけファイルシステムが記録されている。
【０１９７】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０１９８】
さらに、図２２（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０１９９】
このように、記憶部３４０に記録されているマップ情報は、本実施形態ではコンテンツごとの配置情報として示しているが、より正確には、図２２（ｃ）に示すように、領域（ファイル）ごとの配置情報を示すものである。
【０２００】
また、マイディスクの登録解除の際には、ファイルシステム管理領域に記録されているファイルシステムについても、タイトル管理情報と併せて削除される。
【０２０１】
（表示装置における表示例）
最後に、レコーダ装置１００に接続された表示装置におけるコンテンツとタイトルリストに記録されている情報との表示例について、図２３を参照しつつ以下に説明する。図２３は、表示装置４００上でのコンテンツおよびタイトルリストに記録されている情報の表示を概略的に示す図である。
【０２０２】
操作入力部を介してユーザーがタイトルリストの表示をレコーダ装置１００に対して指示すると、表示装置４００では、タイトルリストおよびコンテンツが図２３に示すように表示される。
【０２０３】
すなわち、図２３に示すように、表示装置４００における表示画面は、これまで視聴していたコンテンツを引き続き表示するコンテンツ表示部４１０と、タイトルリストを表示するタイトルリスト表示部４２０との２つの画面に分割されることになる。
【０２０４】
タイトルリスト表示部４２０には、図２３に示すように、登録されているマイディスクに対応するタブが表示される。ユーザーがタイトルリストの確認を所望するマイディスクのタブを選択することにより、タイトルリスト表示部４２０には、ユーザーの選択したマイディスクのタイトルリストが表示されることになる。すなわち、記憶部２８０における各マイディスクのタイトル管理領域に記録されているタイトル管理テーブルの情報が表示される。
【０２０５】
図２３では、ディスク１のタブを選択したときのタイトルリストを示している。このとき、選択しているディスクを表す情報（アイコン）を表示部４３０に表示することが好ましい。また、ユーザーがタイトルリスト表示部４２０に表示されている各タイトルを選択した場合には、仮選択したタイトルにより示されるコンテンツのサムネイルを表示部４３０に表示することが好ましい。
【０２０６】
次に、本実施形態に係るダビング装置について、以下に説明する。
【０２０７】
本実施形態に係るダビング装置５００は、装填された光ディスク上のコンテンツをＨＤＤにコピーする旨の指示をユーザーから受け付けると、コンテンツのコピーが可能であるか否かをレコーダ装置１００に問い合わせ、コピー可能である旨の通知をレコーダ装置１００から受け付けてからコンテンツのコピーを行うものである。
【０２０８】
（ダビング装置の構成）
ダビング装置５００の構成について、図２４を参照しつつ以下に説明する。図２４は、ダビング装置５００の要部構成を示すブロック図である。
【０２０９】
図２４に示すようにダビング装置５００は、制御部５１０、通信部５２０、ハードディスク部５３０、光ディスクドライブ部５４０、および表示部５５０を備えている。
【０２１０】
（制御部５１０）
制御部５１０は、装填された光ディスクからハードディスク部５３０へコンテンツのコピーの指示やハードディスク部５３０から光ディスクへのコンテンツのコピーの指示を受け付け、コピー可能である場合と判定した場合にコピーを行う。また、制御部５１０は、光ディスクがマイディスク登録されているかをレコーダ装置１００に問い合わせる旨の指示をユーザーから受け付け、問い合わせ結果を表示部５５０に表示する。
【０２１１】
（通信部５２０）
通信部５２０は、ダビング可否問い合わせやマイディスク登録有無の問い合わせ等のためにレコーダ装置１００と通信を行う。
【０２１２】
（ハードディスク部５３０）
ハードディスク部５３０には、光ディスクからコピーされたコンテンツが記録される。なお、本実施形態においては、コンテンツのコピー先をハードディスクとしているが、コンテンツのコピー先は、ハードディスクに限られるものではなく、ＳＤカードやＵＳＢメモリなどのリムーバブルメディアであってもよい。
【０２１３】
（光ディスクドライブ部５４０）
光ディスクドライブ部５４０は、制御部５１０からの指示に基づいて駆動され、装填されている光ディスクからのデータの読み出し、または光ディスクに対するデータの書き込みを実行する。
【０２１４】
光ディスクドライブ部５４０には、装填されている光ディスクからデータを読み出したり、光ディスクに対してデータを書き込んだりするための光ヘッド部が備えられている。
【０２１５】
（表示部５５０）
表示部５５０は、ユーザーがダビング装置５００を操作するための操作メニュー等を表示する。
【０２１６】
なお、本実施形態においては、ダビング装置５００が表示部５５０を備えているものとして説明するが、表示部５５０は、ダビング装置５００に備えられていなくてもよく、ダビング装置５００に接続された外部の表示部であってもよい。
【０２１７】
（光ディスクからハードディスク部５３０へのダビング動作）
本実施形態に係るダビング装置５００が光ディスクからハードディスク部５３０へコンテンツをコピーする旨の指示をユーザーから受け付けたときに光学ドライブシステム１０００のレコーダ装置１００およびダビング装置５００が行う動作について、図２５および図２６を用いて以下に説明する。
【０２１８】
図２５は、ユーザーがコピーを指示する際に表示部５５０に表示される操作画面を示す図であり、図２６は、上記動作を示すシーケンス図である。
【０２１９】
ユーザーが、「ダビング」メニューを選択・決定し（図２５左最上段）、ＢＤ（光ディスク）からＨＤＤ（ハードディスク部５３０）へのダビングを選択し（図２５右最上段）、ＢＤに記録されているタイトルを選択すると（図２５上から２段目左）、制御部５１０は、タイトルの指定を受け付け（Ｓ１）、光ディスクに記録されているメディアＩＤ（ここでは「ａａａ」とする）およびコンテンツＩＤ（識別値、ここでは、「ｂｂｂ」とする）を読み出し（Ｓ２）、レコーダ装置１００に送信する（Ｓ３）。
【０２２０】
レコーダ装置１００のバックエンド制御部２４０は、受信したメディアＩＤ「ａａａ」を有する光ディスクがマイディスク登録されているか否かをドライブ制御部３２０に問い合わせる（Ｓ４）。
【０２２１】
ドライブ制御部３２０は、記憶部３４０のマイディスク管理領域の各エントリを検索し、メディアＩＤとして「ａａａ」が記録されたエントリが存在するか否かを確認する（Ｓ５）。そして、確認した結果をバックエンド制御部２４０に返却する。
【０２２２】
バックエンド制御部２４０は、エントリが存在しない旨の結果を受け付けた場合（Ｓ１７）にはマイディスク登録されていない旨を、通信部２９５を介してダビング装置５００に送信する（Ｓ１８）。
【０２２３】
ダビング装置５００の制御部５１０は、マイディスク登録されていない旨を受信すると、表示部５５０にコピーが不可能である旨の表示を行い（Ｓ１９）、処理を終了する。
【０２２４】
一方、バックエンド制御部２４０は、エントリが存在する旨の結果を受け付けた場合（Ｓ６）には、記憶部２８０のタイトル管理領域にアクセスし、受信したコンテンツＩＤ「ｂｂｂ」を有するタイトルの残りダビング回数を読み出す（Ｓ７）。そして、ダビング回数を示す情報とともにマイディスク登録されている旨を、通信部２９５を介してダビング装置５００に送信する（Ｓ８）。
【０２２５】
ダビング装置５００の制御部５１０は、マイディスク登録されている旨を受信すると、ともに受信した残りダビング回数を表示部５５０に表示する（図２５上から２段目右）。
【０２２６】
ユーザーがコピー実行回数を決定し（図２５上から３段目左）、ダビング実行ボタンを押下すると（図２５上から３段目右）、制御部５１０はコピー実行回数を取得し（Ｓ９）、ダビング可否の問い合わせをレコーダ装置１００に送信する（Ｓ１０）。当該問い合わせには、コピー実行回数を示す情報およびコンテンツＩＤ「ｂｂｂ」が含まれている。なお、コピー実行回数とは、ダビング後にハードディスク部５３０に記録されるコンテンツをさらに他のメディアにダビング可能な回数である。
【０２２７】
レコーダ装置１００のバックエンド制御部２４０がダビング可否の問い合わせを受信すると、バックエンド制御部２４０は、記憶部２８０のタイトル管理領域にアクセスし、受信したコンテンツＩＤ「ｂｂｂ」を有するタイトルの残りダビング回数と受信したコピー実行回数とを比較する（Ｓ１１）。比較の結果、残りダビング回数がコピー実行回数よりも少ない場合、バックエンド制御部２４０は、コピーが不可能である旨をダビング装置５００に通知する（Ｓ１５）。ダビング装置５００は、コピーが不可能である旨の通知を受け付けると、制御部５１０は、表示部５５０にコピーが不可能である旨の表示を行い（Ｓ１６）、処理を終了する。
【０２２８】
一方、比較の結果、残りダビング回数がコピー実行回数以上である場合、バックエンド制御部２４０は、タイトル管理領域のコンテンツＩＤ「ｂｂｂ」を有するタイトルの残りダビング回数を示す値からコピー実行回数を示す値を減算する（Ｓ１２）。そして、バックエンド制御部２４０は、コピーが可能である旨をダビング装置５００に通知する（Ｓ１３）。
【０２２９】
ダビング装置５００の制御部５１０は、コピーが可能である旨の通知を受け付けると、光ディスク上のコンテンツをコンテンツＩＤ「ｂｂｂ」およびコピー実行回数と関連づけてハードディスク部５３０にコピーする（Ｓ１４）。なお、制御部５１０は、コピー中にコピーの進捗状況（図２５左最下段）やコピーが完了した旨（図２５右最下段）を表示部５５０に表示する。
【０２３０】
（光学ドライブシステム１０００のコピー管理手段の変形例）
本実施形態に係る光学ドライブシステム１０００のコピー管理手段の変形例について、以下に説明する。
【０２３１】
光学ドライブシステム１０００は、上述してきたように、コンテンツ毎に残りダビング可能回数を管理し、残りダビング回数に基づいて光ディスクからハードディスク部５３０へのコンテンツのコピーを許可または拒否することが可能なものであるが、本変形例における光学ドライブシステム１０００は、光ディスク毎に残りダビング可能回数を管理し、残りダビング回数に基づいて光ディスクからハードディスク部５３０へのコンテンツのコピーを許可または拒否することが可能なものである。
【０２３２】
（タイトル管理情報）
本変形例においては、記憶部２８０のタイトル管理領域に記録されるタイトル管理情報の構成が異なっている。図２７に示すように、タイトル管理情報の残りダビング回数は、タイトルごとに管理されるのではなく、ディスク毎に管理されている。
【０２３３】
（光ディスクからハードディスク部５３０へのダビング動作）
変形例に係るダビング装置５００ａが光ディスクからハードディスク部５３０へコンテンツをコピーする旨の指示をユーザーから受け付けたときに光学ドライブシステム１０００ａのレコーダ装置１００ａおよびダビング装置５００ａが行う動作について、図２８および図２９を用いて以下に説明する。
【０２３４】
図２８は、ユーザーがコピーを指示する際に表示部５５０に表示される操作画面を示す図であり、図２９は、上記動作を示すフローチャート図である。
【０２３５】
ユーザーが、「ダビング」メニューを選択・決定し（図２８左最上段）、ＢＤ（光ディスク）からＨＤＤ（ハードディスク部５３０）へのダビングを選択すると（図２８右最上段）、制御部５１０は、ダビングの指示を受け付け（Ｓ３１）、光ディスクに記録されているメディアＩＤ（識別値、ここでは「ａａａ」とする）を読み出し（Ｓ３２）、レコーダ装置１００に送信する（Ｓ３３）。
【０２３６】
レコーダ装置１００のバックエンド制御部２４０は、受信したメディアＩＤ「ａａａ」を有する光ディスクがマイディスク登録されているか否かをドライブ制御部３２０に問い合わせる（Ｓ３４）。
【０２３７】
ドライブ制御部３２０は、記憶部３４０のマイディスク管理領域の各エントリを検索し、メディアＩＤとして「ａａａ」が記録されたエントリが存在するか否かを確認する（Ｓ３５）。そして、確認した結果をバックエンド制御部２４０に返却する。
【０２３８】
バックエンド制御部２４０は、エントリが存在しない旨の結果を受け付けた場合（Ｓ４７）にはマイディスク登録されていない旨を、通信部２９５を介してダビング装置５００に送信する（Ｓ４８）。
【０２３９】
ダビング装置５００の制御部５１０は、マイディスク登録されていない旨を受信すると、表示部５５０にコピーが不可能である旨の表示を行い（Ｓ４９）、処理を終了する。
【０２４０】
一方、バックエンド制御部２４０は、エントリが存在する旨の結果を受け付けた場合（Ｓ３６）には、受信したメディアＩＤ「ａａａ」を有するマイディスクのタイトル管理領域にアクセスし、残りダビング回数を読み出す（Ｓ３７）。そして、ダビング回数を示す情報とともにマイディスク登録されている旨を、通信部２９５を介してダビング装置５００に送信する（Ｓ３８）。
【０２４１】
ダビング装置５００の制御部５１０は、マイディスク登録されている旨を受信すると、ともに受信した残りダビング回数を表示部５５０に表示する（図２８上から２段目左）。
【０２４２】
ユーザーがコピー実行回数を決定し（図２８上から２段目右）、ダビング実行ボタンを押下すると（図２８上から３段目左）、制御部５１０は、コピー実行回数を取得し（Ｓ３９）、ダビング可否の問い合わせをレコーダ装置１００に送信する（Ｓ４０）。当該問い合わせには、コピー実行回数を示す情報およびメディアＩＤ「ａａａ」が含まれている。
【０２４３】
レコーダ装置１００のバックエンド制御部２４０がダビング可否の問い合わせを受信すると、バックエンド制御部２４０は、メディアＩＤ「ａａａ」を有するマイディスクのタイトル管理領域にアクセスし、当該マイディスクの残りダビング回数と受信したコピー実行回数とを比較する（Ｓ４１）。比較の結果、残りダビング回数がコピー実行回数よりも少ない場合、バックエンド制御部２４０は、コピーが不可能である旨をダビング装置５００に通知する（Ｓ４５）。ダビング装置５００は、コピーが不可能である旨の通知を受け付けると、制御部５１０は、表示部５５０にコピーが不可能である旨の表示を行い（Ｓ４６）、処理を終了する。
【０２４４】
一方、比較の結果、残りダビング回数がコピー実行回数以上である場合、バックエンド制御部２４０は、タイトル管理領域の残りダビング回数を示す値からコピー実行回数を示す値を減算する（Ｓ４２）。そして、バックエンド制御部２４０は、コピーが可能である旨をダビング装置５００に通知する（Ｓ４３）。
【０２４５】
ダビング装置５００の制御部５１０は、コピーが可能である旨の通知を受け付けると、光ディスク上のコンテンツをメディアＩＤ「ａａａ」およびコピー実行回数と関連づけてハードディスク部５３０にコピーする（Ｓ４４）。なお、制御部５１０は、コピー中にコピーの進捗状況（図２８上から３段目右）やコピーが完了した旨（図２８左最下段）を表示部５５０に表示する。
【０２４６】
（光学ドライブシステム１０００の利点）
以上のように、本実施形態および変形例に係る光学ドライブシステム１０００は、コンテンツ毎または光ディスク毎に残りダビング回数を管理し、残りダビング回数に基づいて光ディスクからハードディスク部５３０へのコンテンツのコピーを許可したり拒否したりするので、コンテンツの著作者の権利を確保しつつも、光ディスクをコピー元とするコンテンツのコピーを行うことができる。
【０２４７】
（付記事項）
本実施形態に係るレコーダ装置１００のコンテンツの同期処理について、ドライブ制御部３２０は、マップテーブルを参照して、同期フラグが「０」であるコンテンツがあるか否かを判定し、例えば、同期フラグが「０」であるコンテンツ２が存在する場合、ドライブ制御部３２０は、記憶部３４０の領域１に記録されているコンテンツ２を、ディスク１に記録するようにディスクドライブ部３３０に対して指示する旨を説明したが、ドライブ制御部３２０は、同期フラグが「０」であるコンテンツ２が存在すると判定した場合に、コンテンツ２の同期処理を行う（領域１に記録されているコンテンツ２をディスク１に記録する）か否かの指示をユーザーから受け付けるための画面を表示し、ユーザーから同期処理を行う旨の指示を受け付けた場合に限り、コンテンツ２の同期処理を行うようにしてもよい。
【０２４８】
また、制御部５１０は、光ディスクからのコンテンツのコピーおよびコピー実行回数の記録の完了後、レコーダ装置１００にコピーが完了した旨を示す情報を送信し、レコーダ装置１００から了解情報を受け取った後に、コンテンツとコピー可能数情報とを有効にする（すなわち、当該コンテンツの再生機能や、ハードディスク部５３０に記録された当該コンテンツを光ディスクへコピーする旨の指示をユーザーから受け付けた場合に当該コンテンツと関連づけて記録されているコピー実行回数を「１」（複数枚の光ディスクへのコピーの指示を受け取った場合には当該複数を表わす回数分）減らすとともに当該コンテンツを光ディスクにコピーする機能を有効にする）ようにしてもよい。
【０２４９】
また、本実施形態および変形例において、ダビング装置５００は、光ディスクから他の記憶媒体にコンテンツをコピーすることができる装置であればどのようなものでもよい。すなわち、ダビング装置５００は、例えば、ＢＤドライブとＨＤＤとを備えたレコーダであって、ＢＤドライブに装填された光ディスク上のコンテンツをＨＤＤにコピー可能なレコーダであってもよい。また、ダビング装置５００は、チューナを備え、放送波を介して受信したコンテンツを記録可能なものであってもよい。
【０２５０】
また、本実施形態および変形例において、レコーダ装置１００の通信部２９５とダビング装置５００の通信部５２０との間で行われる通信の方式に特に制限はないが、ＨＤＭＩ規格で定められたＣＥＣ（相互機器制御機能）に基づいてレコーダ装置１００とダビング装置５００とが相互に制御可能に接続されていることが望ましい。
【０２５１】
（プログラム、記録媒体）
最後に、レコーダ装置１００およびダビング装置５００に含まれている各ブロックは、ハードウェアロジックによって構成すればよい。また、レコーダ装置１００のバックエンド制御部２４０およびドライブ制御部３２０、並びにダビング装置５００の制御部５１０は、次のように、ＣＰＵ（Ｃｅｎｔｒａｌ  Ｐｒｏｃｅｓｓｉｎｇ  Ｕｎｉｔ）を用いてソフトウェアによって実現してもよい。
【０２５２】
すなわち、レコーダ装置１００およびダビング装置５００は、それぞれ、制御部の機能を実現する制御プログラムのプログラムコード（実行形式プログラム、中間コードプログラム、ソースプログラム）をコンピュータで読み取り可能に記録していればよい。レコーダ装置１００およびダビング装置５００（またはＣＰＵやＭＰＵ）が、それぞれ、供給された記録媒体に記録されている対応するプログラムコードを読み出し、実行すればよい。
【０２５３】
プログラムコードをレコーダ装置１００およびダビング装置５００に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２５４】
また、レコーダ装置１００およびダビング装置５００は、通信ネットワークと接続可能に構成しても、本発明の目的を達成できる。この場合、上記のプログラムコードを、記録媒体を介してレコーダ装置１００およびダビング装置５００に供給してもよいし、通信ネットワークを介してレコーダ装置１００およびダビング装置５００に供給してもよい。この通信ネットワークは、レコーダ装置１００およびダビング装置５００にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０２５５】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２５６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２５７】
本発明は、メモリ内蔵型のＢＤレコーダーに好適に利用することができる。
【符号の説明】
【０２５８】
１００  レコーダ装置（記録装置）
２００  バックエンド部
２４０  バックエンド制御部（コピー管理情報記録手段、コピー管理情報更新手段、指示受付手段）
２８０  記憶部
２９５  通信部
３００  ドライブ部
３２０  ドライブ制御部（コピー管理情報記録手段）
３４０  記憶部
５００  ダビング装置（複製装置）
５１０  制御部（コピー手段、送信手段）
５２０  通信部
５３０  ハードディスク部（記憶部）
５５０  表示部
１０００  光学ドライブシステム（複製システム）
【図１】
2010238335.tif 000003
【図２】
2010238335.tif 000004
【図３】
2010238335.tif 000005
【図４】
2010238335.tif 000006
【図５】
2010238335.tif 000007
【図６】
2010238335.tif 000008
【図７】
2010238335.tif 000009
【図８】
2010238335.tif 000010
【図９】
2010238335.tif 000011
【図１０】
2010238335.tif 000012
【図１１】
2010238335.tif 000013
【図１２】
2010238335.tif 000014
【図１３】
2010238335.tif 000015
【図１４】
2010238335.tif 000016
【図１５】
2010238335.tif 000017
【図１６】
2010238335.tif 000018
【図１７】
2010238335.tif 000019
【図１８】
2010238335.tif 000020
【図１９】
2010238335.tif 000021
【図２０】
2010238335.tif 000022
【図２１】
2010238335.tif 000023
【図２２】
2010238335.tif 000024
【図２３】
2010238335.tif 000025
【図２４】
2010238335.tif 000026
【図２５】
2010238335.tif 000027
【図２６】
2010238335.tif 000028
【図２７】
2010238335.tif 000029
【図２８】
2010238335.tif 000030
【図２９】
2010238335.tif 000031